(57)【要約】【課題】分別廃棄が求められているバックアップ用電池を、ユーザが装置から簡単かつ安全に取り外しできるバックアップ用電池の取付構造を提供する。【解決手段】装置１の本体にバックアップ用電池７を収納するための収納部６が設けられ、この収納部６には、装置１の外側に向けて開口しバックアップ用電池７を収納可能に設けられた凹部６２と、この凹部６２に収納されたバックアップ用電池７を覆うように取り付けられるカバー体６８とが備えられ、さらにこの収納部６は、装置１の内部と仕切壁６１で仕切られていることで、上記課題を解決する。【選択図】  図２
2004241200.tif 000002
【特許請求の範囲】
【請求項１】
装置の本体にバックアップ用電池を収納するための収納部が設けられ、この収納部には、装置の外側に向けて開口しバックアップ用電池を収納可能に設けられた凹部と、この凹部に収納されたバックアップ用電池を覆うように取り付けられるカバー体とが備えられるバックアップ用電池の取付構造。
【請求項２】
前記収納部は、装置の内部と仕切壁で仕切られていることを特徴とする請求項１記載のバックアップ用電池の取付構造。
【請求項３】
装置に内蔵され、前記バックアップ用電池の電力を利用する回路基板には、この回路基板とバックアップ用電池のリード線とを雌雄嵌合で接続する接続部が備えられ、前記仕切壁には、前記リード線側の接続端子が挿通できる大きさを有する挿通孔が設けられていることを特徴とする請求項１または２記載のバックアップ用電池の取付構造。
【請求項４】
前記接続部と前記挿通孔とは略直線上に配置され、前記接続部の雌雄嵌合の嵌合解除方向は、前記接続部と挿通孔とを結ぶ直線と略一致していることを特徴とする請求項３記載のバックアップ用電池の取付構造。
【請求項５】
前記接続部と前記挿通孔との間には、障害物のない空間が設けられていることを特徴とする請求項３または４記載のバックアップ用電池の取付構造。
【請求項６】
装置の本体にバックアップ用電池を収納するための収納部が装置の内部と仕切壁で仕切られて設けられ、この収納部には、装置の外側に向けて開口し、バックアップ用電池を収納可能に設けられた凹部と、装置に内蔵され前記バックアップ用電池の電力を利用する回路基板から引き出されたリード線と前記バックアップ用電池のリード線とを雌雄嵌合で接続する接続部と、前記バックアップ用電池と接続部を覆うためのカバー体とが備えられるバックアップ用電池の取付構造。
【発明の詳細な説明】
【０００１】
【発明の属する技術分野】
本発明は、バックアップ用電池を装置に取り付ける構造に関するものである。
【０００２】
【従来の技術】
従来から、ＶＴＲやファクシミリ等のように時計やメモリーを使用する装置には、バックアップ用電池が用いられている。このような装置では、稼動時には主電源の電力が用いられるので、装置の使用期間全体を通じて、バックアップ用電池の電力の消耗は多くない。そのため、一般的に装置の使用期間内では、バックアップ用電池を交換しなくてもよいようにその電力が設定されている。
【０００３】
しかしながら、環境への配慮から装置の廃却時には、バックアップ用電池を装置とは分別して回収することが要求されている。そのため、装置に取り付けられているバックアップ用電池を、装置のユーザが自ら取り外して処分することのできる構造が望まれている。
【０００４】
例えば、特許文献１には、偏平型のバックアップ用電池が装置に保持される構造が開示されている。この特許文献１では、従来回路基板に固定されていたバックアップ用電池の回収作業の不便を改善しようとするものであり、バックアップ用電池がまず略円形の電池基板に半田付けで電気的に固定され、さらにこの電池基板が電池ホルダーに複数の係止片によって位置決めされて保持されている。装置には、その背面に取付用孔が設けられており、前記電池ホルダーが嵌め込みできるようになっている。そして、電池基板には、電池と電気的に接続されたソケットが設けられている。また、装置に内蔵され、バックアップ用電池の電力を利用する回路基板には、先端にプラグを有するリード線が取り付けられており、このリード線が前記取付用孔から引き出せるようになっている。
【０００５】
そのため、装置の製造時にバックアップ用電池を取り付けるに際しては、前記リード線のプラグが取付用孔から引き出されて前記電池基板のソケットと接続されるとともに、バックアップ用電池が電池基板ごと電池ホルダーに保持されて、装置の取付用孔に嵌め込まれる。
【０００６】
一方、装置のユーザがこのバックアップ用電池を取り外すに際しては、まず、前記電池ホルダーを装置から外すが、電池ホルダーは弾性係止片で装置に引っ掛けられているだけであるため、装置の外側に突出するつまみ片をつまむことにより、治具等を用いなくてもユーザが簡単に外せるようになっている。そして、ユーザは、電池ホルダーから電池基板と取り外すとともに、取付用孔から引き出されているリード線のプラグと電池基板のソケットの接続を外し、バックアップ用電池を電池基板ごと処分する。
【０００７】
【特許文献１】
特開平１１−１  ６５５２号公報
【０００８】
【発明が解決しようとする課題】
しかしながら、特許文献１に記載されている構造では、装置本体に設けられている取付用孔は、バックアップ用電池の電池ホルダーが嵌め込まれるような比較的大きな開口である。また、電池ホルダーは治具を使用しなくても簡単に取り外せるように構成されているので、電池ホルダーのつまみ片に何かがぶつかって不必要に電池ホルダーが外れることも予想される。
【０００９】
そのため、ユーザが電池の取り外し作業を行う場合や、上記のように電池ホルダーが外れた場合などに、前記取付用孔から装置本体の内部に誤って指や異物を入れてしまうことが心配される。従って、バックアップ用電池の取付構造では、ユーザにとって容易に取り外せるだけでなく、安全性への配慮が要望されていた。
【００１０】
また、バックアップ用電池は、装置に設けられた取付用孔から装置の内部に向けて保持されているため、仮に装置の内部にバックアップ用電池が脱落すると、他の部品との接触により不具合を生じることがある。そのため、特許文献１では、バックアップ用電池を確実に保持するために、電池ホルダーが多数の係止片が設けられた複雑な形状となっていたり、電池基板にバックアップ用電池を半田付けで固定したりしていた。従って、取り付けに要する部品数が多い上に、部品形状が複雑で、さらに取付作業も煩雑であるという課題も有していた。
【００１１】
本発明は、このような問題を解消したバックアップ用電池の取付構造を提供することを課題とするものである。
【００１２】
【課題を解決するための手段】
前記技術的課題を解決するために、請求項１に記載の発明のバックアップ用電池の取付構造は、装置の本体にバックアップ用電池を収納するための収納部が設けられ、この収納部には、装置の外側に向けて開口しバックアップ用電池を収納可能に設けられた凹部と、この凹部に収納されたバックアップ用電池を覆うように取り付けられるカバー体とが備えられるものである。
【００１３】
また、請求項２に記載の発明は、請求項１に記載のバックアップ用電池の取付構造において、前記収納部は、装置の内部と仕切壁で仕切られていることを特徴とするものである。
【００１４】
また、請求項３に記載の発明は、請求項１または２記載のバックアップ用電池の取付構造において、装置に内蔵され、前記バックアップ用電池の電力を利用する回路基板には、この回路基板とバックアップ用電池のリード線とを雌雄嵌合で接続する接続部が備えられ、前記仕切壁には、前記リード線側の接続端子が挿通できる大きさを有する挿通孔が設けられていることを特徴とするものである。
【００１５】
また、請求項４に記載の発明は、請求項３記載のバックアップ用電池の取付構造において、前記接続部と前記挿通孔とは略直線上に配置され、前記接続部の雌雄嵌合の嵌合解除方向は、前記接続部と挿通孔とを結ぶ直線と略一致していることを特徴とするものである。
【００１６】
また、請求項５に記載の発明は、請求項３または４記載のバックアップ用電池の取付構造において、前記接続部と前記挿通孔との間には、障害物のない空間が設けられていることを特徴とするものである。
【００１７】
そして、請求項６に記載の発明のバックアップ用電池の取付構造は、装置の本体にバックアップ用電池を収納するための収納部が装置の内部と仕切壁で仕切られて設けられ、この収納部には、装置の外側に向けて開口し、バックアップ用電池を収納可能に設けられた凹部と、装置に内蔵され前記バックアップ用電池の電力を利用する回路基板から引き出されたリード線と前記バックアップ用電池のリード線とを雌雄嵌合で接続する接続部と、前記バックアップ用電池と接続部を覆うためのカバー体とが備えられるものである。
【００１８】
【発明の実施の形態】
以下、本発明の実施の形態を図面に基づいて説明する。図１は本発明の実施の形態によるバックアップ用電池の取付構造が備えられた装置をカバー体のない状態で背面からみた外観図、図２はバックアップ用電池の取付構造の斜視図、図３はバックアップ用電池の外観図、図４はバックアップ用電池の取付構造が備えられた装置をカバー体のある状態で背面からみた外観図、図５は図４のＶ−Ｖ線矢視部分断面図、図６はバックアップ用電池の取付構造が備えられた装置の底板を一部取り外して底側からみた外観図、図７は接続部の平面図、図８はバックアップ用電池の取付構造の他の実施形態の斜視図、図９は図８のＩＸ−ＩＸ線矢視部分断面図である。
【００１９】
本発明の実施の形態は、バックアップ用電池を備える装置として、プリンタ機能と、コピー機能と、スキャナ機能と、ファクシミリ機能に加えて、電話機能等を備えた多機能装置に本発明を適用した場合のものである。
【００２０】
図１に示すように、多機能装置１には、背面部（図１中の手前側）の上側に給紙装置２が設けられ、その給紙装置２の前側（図１中の奥側）の上側にコピー機能とファクシミリ機能のための原稿読取装置３が設けられ、その原稿読取装置３の下側全体にプリンタ機能を実現するインクジェットプリンタ４が設けられている。インクジェットプリンタ４の前側には、印字した用紙の排紙用テーブル５（図６参照）が設けられている。
【００２１】
この実施の形態では、バックアップ用電池７が、前記多機能装置１の背面部の側面寄りの下側（図１中の手前右下側）に収納部６を設けて収納されている。この収納部６は多機能装置１の内部と仕切壁６１で仕切られているため、図１に示すように後述するカバー体６８を取り外した状態でも、装置の内部が露出しないようになっている。
【００２２】
そして、収納部６内の上側寄りには、多機能装置１の外側に向けて開口した凹部６２が設けられて、この凹部６２にバックアップ用電池７を収納できるようにしている。この実施の形態では、収納部６が多機能装置１の背面部に設けられているため、凹部６２は背面に向けて開口しているが、他の実施形態として収納部６が背面部以外に設けられている場合には、設けられた部位に応じて、外側に向けた開口が形成される。
【００２３】
この凹部６２は、バックアップ用電池７が図３に示すような偏平で長い形状を有しているため、凹部６２の開口にバックアップ用電池７は偏平面を上下にして長手方向が横向きとなって収納できる形状に形成されている。すなわち、開口の幅寸法に比べ奥行き寸法が短い形状となっている。また、この凹部６２には、バックアップ用電池７を固定したり保持したりする手段は、全く設けられておらず、バックアップ用電池７は凹部６２に挿入されることのみによって収納される。
【００２４】
図３に示すバックアップ用電池７は、偏平型の電池を３つ横に並べて並列に接続し一体化した構造として形成されている。その長手方向の一端側では正負極の各々からリード線が１本づつ引き出されており、リード線７１の先端には後述する接続端子７２が取り付けられている（図７参照）。バックアップ用電池７としては、ニッケル水素電池等が適用される。
【００２５】
前記凹部６２は、この実施の形態では、図５に示すように、各種部品の取り付けのために多機能装置１の内部で水平に設けられている平板９１の背面側の端縁部と、平板９１の背面側で収納部６（図１及び図２参照）に該当する部位の上方に平板９１と平行に設けられている上板６３と、平板９１の背面側の端縁部から所定の距離だけ内部側に入り込んだ位置に鉛直に設けられた第２仕切壁６４と、上記上板６３の側端部を鉛直方向に屈曲させることで形成される側壁６７（図１及び図２参照）とで構成されている。すなわち、平板９１の平板面の一部が凹部６２の底面となり、上板６３が凹部６２の上面となり、第２仕切壁６４が凹部６２の奥側の面となり、上板６３の側端部を屈曲させた側壁６７が凹部６２の側面となっている。
【００２６】
このように、凹部６２は単純な窪み形状であり、バックアップ用電池７を収納できさえすれば、必ずしも一体で形成された部材である必要もないので、凹部６２専用の新規の部材から形成されるのではなく、多機能装置１の既成部材を利用して構成されている。なお、図５に示す凹部６２の構成は一例であり、これに限定するものでないことは言うまでもない。
【００２７】
仕切壁６１は、前記平板９１の背面側の後端部の下方に当接する鉛直面として形成されている。そして、この仕切壁６１には、凹部６２の一端側を始端として下側に延びる溝部６５が形成され、この溝部６５の末端には仕切板６１の板厚を貫通する挿通孔６６が設けられている。溝部６５は、前記バックアップ用電池７のリード線７１を挿通孔６６に案内し収納するために形成されている。挿通孔６６は、リード線７１の先端に取り付けられた接続端子７２が挿通できる大きさに形成されている。具体的には、接続端子７２が挿通時に挿通孔６６に引っ掛からないように、挿通孔６６の直径は接続端子７２の長手方向の長さの１．５〜２倍程度の大きさとなっている。従って、挿通孔６６の大きさは、指が入らない程度の大きさにとどめられており、仕切板６１の内部側へ誤って指が入り込むことが防止されている。
【００２８】
また、この収納部６には、カバー体６８がスライド式で着脱できるように取り付けられており、治具などが無くても容易に開閉できるようになっている。図５に示すように、カバー体６８の位置は、凹部６２の開口からわずかに離間しているだけであるので、カバー体６８が閉じられると、バックアップ用電池７を凹部６２側に押し付けることになる。従って、カバー体６８は、防汚性や安全性の向上のために用いられるだけでなく、バックアップ用電池７の脱落防止の手段として兼用されている。また、図２及び図４に示すように、カバー体６８に何かが接触しても不必要に開く心配がないように、カバー体６８の表面には、突起等を設けていない。
【００２９】
一方、多機能装置１の内部では、複数の回路基板や部品が備えられ、これらは図５に示されるように平板９１などに固定されており、また、多機能装置１の底面は底板７５によってカバーされている。回路基板のうちバックアップ用電池７の電力が供給される回路基板９２には、この回路基板９２とバックアップ用電池７の接続端子７２とを電気的に接続するための接続部９３が備えられている。この接続部９３には、雌雄嵌合で接続するコネクタが用いられており、回路基板９２側の接続端子９４にオス型コネクタ、バックアップ用電池７側の接続端子７２にメス型コネクタが用いられている。
【００３０】
この回路基板９２に備えられた接続部９３と、前記仕切壁６１に設けられた挿通孔６６とは、直線上（この直線を図５及び図６で矢印Ａで図示する）に配置される位置関係にしている。そして、この接続部９３には、接合解除を防ぐストッパー機構等を有していないコネクタをあえて適用し、加えて、両接続端子７２、９４の雌雄嵌合の嵌合解除方向が前記直線Ａと一致するように、接続部９３を回路基板９２に取り付けている。これにより、接続部９３が嵌合解除方向にある程度の力を受けると速やかに両接続端子７２、９４の嵌合が外れるようにしている。
【００３１】
バックアップ用電池７のリード線７１に取り付けられるメス型の接続端子７２は、リード線７１が２本であるため、本来であれば２ピン用の接続端子でよいが、図７に示すように、この実施形態ではあえて４ピン用の接続端子７２を使用している。接続端子７２の４つのメスコネクト７４（７４ａ〜７４ｄ）のうち、中央の２つのメスコネクト７４ｂ、７４ｃにリード線７１の２本をそれぞれ接続している。そして、残り２つの両側のメスコネクト７４ａ、７４ｄには、１本のリード線７３がループ状に接続され、これら両側のメスコネクト７４ａ、７４ｄが導通するようにしている。これにより、両接続端子７２、９４を嵌合させたときに、オス型の接続端子９４の４つのオスコネクト９７（９７ａ〜９７ｄ）のうち両側のオスコネクト９７ａ、９７ｄ間の導通を確認することで、接続部９３の雌雄嵌合が完全に嵌め込まれた状態であるか否か、さらには、バックアップ用電池７の有無を多機能装置１を分解することなく、ソフトウェア的に容易に判定することができる。すなわち、両側のオスコネクト９７ａ、９７ｄ間が導通していれば、バックアップ用電池７が正常に多機能装置１に取り付けられていることとなり、導通していなければ、バックアップ用電池７は多機能装置１に取り付けられていないか、あるいは両接続端子７２、９４の嵌合が不完全であることになる。そのため、製造時の欠品確認が、例え、多機能装置１の組立後であっても容易になるという利点もある。
【００３２】
また、多機能装置１の内部では、図５または図６に示すように、回路基板９２に設けられた接続部９３と挿通孔６６との間に、障害物のない空間９５が設けられている。この実施の形態では、回路基板９２の挿通孔６６側の回路基板９６が、回路基板９２より高い位置（図５中の上側）に取り付けられ、障害物となるような回路部品や機構部品等も突出しないようにすることで、前記空間９５を作り出している。
【００３３】
上記構成によれば、まず、バックアップ用電池７を取り付ける場合には、バックアップ用電池７のリード線７１の接続端子７２を、仕切壁６１の挿通孔６６に挿通し、多機能装置１の内部に取り付けられている回路基板９２の接続端子９４に雌雄嵌合により接続する（図５及び図６参照）。そして、接続端子９４の両側のオスコネクト９７ａ、９７ｄ間の導通を確認することで、雌雄嵌合が完了しているか否かが判定される。なお、図６では多機能装置１の底板７５は図示を省略しているが、上記作業終了後に底板７５が取り付けられる。また、オスコネクト９７ａ、９７ｄ間の導通の確認は、多機能装置１の組立終了後に行ってもよい。
【００３４】
次いで、バックアップ用電池７を凹部６２に収納する。上述したとおり凹部６２には、バックアップ用電池７の固定手段などが一切設けられていないため、バックアップ用電池７が凹部６２に挿入されるだけで収納が完了する。そのため、バックアップ用電池７は凹部６２の中で多少前後左右に動くことがあるが、上述したとおり凹部６２は外側に向かって開口しているため、バックアップ用電池７が多機能装置１の内部に脱落する心配は全く無く、また、カバー体６８を閉じることによりバックアップ用電池７の動きが押さえられている。
【００３５】
そして、多機能装置１本体を廃棄処分するに際し、ユーザ自らがバックアップ用電池７を取り外す場合には、まず、カバー体６８が開けられ、次いでバックアップ用電池７が凹部６２から取り出される。前述したように、カバー体６８はスライド式であり、また凹部６２にはバックアップ用電池７の固定手段等が設けられていないため、治具等を使用する必要な全くない。次いで、バックアップ用電池７を持って、挿通孔６６からリード線７１を引き抜くように力をかけると、接続部９３で嵌合していた接続端子７２，９４の嵌合が解除される。この場合、多機能装置１の底板７５や側板を外す必要は全くなく、引き抜く動作だけでよい。このとき接合部９３では嵌合解除方向を、接合部９３と挿通孔６６とを結ぶ直線Ａと一致させているので、リード線７１を引き抜こうとする力が効率よく接合部９３に伝達し、速やかに接続部９３の嵌合が解除される。そして、接続部９３と挿通孔６６との間は、障害物のない空間９５が設けられているため、リード線７１は多機能装置１の内部で各種部品に引っ掛かることなく、挿通孔６６から引き出すことができる。要するに、カバー体６８を開け、バックアップ用電池７を手に持って、挿通孔６６からリード線７１を引き抜くだけの極めて単純な動作でバックアップ用電池７の取り外しは完了する。また、このとき、仕切板６１により多機能装置１の内部が覆われているので、誤ってユーザが指を入れることで怪我などをする心配もない。
【００３６】
なお、上述の実施形態では、バックアップ用電池７とこの電池の電力が供給される回路基板９２との接続を装置の内部に設けた接続部で行うように構成していたが、前記接続の位置はこれに限定するものではない。他の実施形態としては、例えば図８及び図９に示すように、前記接続部を収納部６内に設けた形態でもよい。この図８及び図９に示す実施形態では、バックアップ用電池７の電力を利用する回路基板９２から引き出されたリード線９９が、仕切板６１の外側（多機能装置１の背面側）に固定されているオス型の接続端子９８と、仕切板６１に設けられた小径の貫通孔６９を介して電気的に接続されている。そして、この接続端子９８に、バックアップ用電池７のリード線７１に取り付けられたメス型の接続端子７２が接続されて、接続部７３を構成している。そのため、この実施の形態では、バックアップ用電池７を多機能装置１から取り外す際には、前述したような挿通孔６６からリード線７１を引き抜く動作が不要となり、収納部６の接続部７３で雌雄嵌合を解除するように引き抜くだけでよい。そのため、多機能装置１の内部で、障害物のない空間９５を設けたり、接続部９３の位置を配慮したりする必要もない。すなわち、回路基板９２と接続端子９８とを接続しているリード線９９を多機能装置１の内部で自在に引き回すことが可能となるため、多機能装置１内部の設計の自由度が向上するのである。
【００３７】
また、本発明は多機能装置１ばかりでなく、パソコン等のモバイル端末や、ＶＴＲ、ファクシミリ、コピー機等のバックアップ用電池を使用する各種装置に適用することができる。
【００３８】
【発明の作用・効果】
以上に説明してきたように、請求項１に記載の発明のバックアップ用電池の取付構造は、装置の本体にバックアップ用電池を収納するための収納部が設けられ、この収納部には、装置の外側に向けて開口しバックアップ用電池を収納可能に設けられた凹部と、この凹部に収納されたバックアップ用電池を覆うように取り付けられるカバー体とが備えられるものである。これによれば、バックアップ用電池は装置の収納部に設けられた凹部に収納されるが、この凹部は装置の外側に向かって開口しているので、バックアップ用電池が装置の内部に脱落することが防止される。また、バックアップ用電池はカバー体で覆われるため、装置の外側への脱落も防止されるので、安全性が向上される。そして、収納部は単なる凹部であるため、その構造を極めて単純に形成することができ、製造コストの削減が可能となる。
【００３９】
また、請求項２に記載の発明は、請求項１に記載のバックアップ用電池の取付構造において、前記収納部は、装置の内部と仕切壁で仕切られていることを特徴とするものであるので、装置の内部に収納部から指や異物が入ることも防止でき、安全性がさらに向上される。
【００４０】
また、請求項３に記載の発明は、請求項１または２記載のバックアップ用電池の取付構造において、装置に内蔵され、前記バックアップ用電池の電力を利用する回路基板には、この回路基板とバックアップ用電池のリード線とを雌雄嵌合で接続する接続部が備えられ、前記仕切壁には、前記リード線側の接続端子が挿通できる大きさを有する挿通孔が設けられていることを特徴とするものである。これによれば、接続部での接続が雌雄嵌合であるため、バックアップ用電池のリード線を引っ張るだけで、接続部での接続が容易に解除され、さらに挿通孔からリード線側の接続端子を引き出すことができるので、きわめて簡単な動作でバックアップ用電池を装置から取り外すことができる。
【００４１】
また、請求項４に記載の発明は、請求項３記載のバックアップ用電池の取付構造において、前記接続部と前記挿通孔とは略直線上に配置され、前記接続部の雌雄嵌合の嵌合解除方向は、前記接続部と挿通孔とを結ぶ直線と略一致していることを特徴とするものである。これによれば、バックアップ用電池のリード線を引っ張る力を効率よく接続部に伝達させ、さらに効率よく嵌合解除に作用させることができる。
【００４２】
また、請求項５に記載の発明は、請求項３または４記載のバックアップ用電池の取付構造において、前記接続部と前記挿通孔との間には、障害物のない空間が設けられていることを特徴とするものである。これによれば、接続部で嵌合解除されたバックアップ用電池側の接続端子を、障害物に引っ掛けることなく速やかに挿通孔から引き出すことができる。
【００４３】
そして、請求項６に記載の発明のバックアップ用電池の取付構造は、装置の本体にバックアップ用電池を収納するための収納部が装置の内部と仕切壁で仕切られて設けられ、この収納部には、装置の外側に向けて開口し、バックアップ用電池を収納可能に設けられた凹部と、装置に内蔵され前記バックアップ用電池の電力を利用する回路基板から引き出されたリード線と前記バックアップ用電池のリード線とを雌雄嵌合で接続する接続部と、前記バックアップ用電池と接続部を覆うためのカバー体とが備えられるものである。これによれば、バックアップ用電池は装置の収納部に設けられた凹部に収納されるが、この凹部は装置の外側に向かって開口しているので、バックアップ用電池が装置の内部に脱落することが防止される。また、バックアップ用電池はカバー体で覆われるため、装置の外側への脱落も防止されるので、安全性が向上される。そして、収納部は単なる凹部であるため、その構造を極めて単純に形成することができ、製造コストの削減が可能となる。さらに、収納部に表出している接続部で、両接続端子の嵌合を解除することができるため、極めて容易にバックアップ用電池を取り外すことができる。
【図面の簡単な説明】
【図１】本発明の実施の形態によるバックアップ用電池の取付構造が備えられた装置をカバー体のない状態で背面からみた外観図である。
【図２】バックアップ用電池の取付構造の斜視図、図３はバックアップ用電池の外観図である。
【図３】バックアップ用電池の外観図である。
【図４】バックアップ用電池の取付構造が備えられた装置をカバー体のある状態で背面からみた外観図である。
【図５】図４のＶ−Ｖ線矢視部分断面図である。
【図６】バックアップ用電池の取付構造が備えられた装置の底板を一部取り外して底側からみた外観図である。
【図７】接続部の平面図である。
【図８】バックアップ用電池の取付構造の他の実施形態の斜視図である。
【図９】図８のＩＸ−ＩＸ線矢視部分断面図である。
【符号の説明】
１  多機能装置
２  給紙装置
３  原稿読取装置
４  プリンタ
５  排紙用テーブル
６  収納部
６１  仕切壁
６２  凹部
６３  上板
６４  第２仕切壁
６５  溝部
６６  挿通孔
６７  側壁
６８  カバー体
６９  貫通孔
７  バックアップ用電池
７１  リード線
７２  接続端子
７３  接続部
７４  メスコネクト
７５  底板
９１  平板
９２、９６  回路基板
９３  接続部
９４、９８  接続端子
９５  空間
９７  オスコネクト
９９  リード線
【図１】
2004241200.tif 000003
【図２】
2004241200.tif 000004
【図３】
2004241200.tif 000005
【図４】
2004241200.tif 000006
【図５】
2004241200.tif 000007
【図６】
2004241200.tif 000008
【図７】
2004241200.tif 000009
【図８】
2004241200.tif 000010
【図９】
2004241200.tif 000011